(57)【特許請求の範囲】
【請求項１】
長手方向と幅方向と厚さ方向とを有し、
第１吸収性コアを備える第１吸収体と、
第２吸収性コアを備え、前記厚さ方向において前記第１吸収体よりも非肌側に配置された第２吸収体と、を備える多層吸収体を有する吸収性物品であって、
前記多層吸収体は、前記厚さ方向における、前記第１吸収体と前記第２吸収体との境界部において、
前記厚さ方向に見て、
疎水部を備える疎水領域と、前記疎水部を備えない非疎水領域と、を有し、
前記第１吸収体と前記第２吸収体が重なる重畳領域と、前記第１吸収体と前記第２吸収体が重ならない非重畳領域を有し、
前記疎水領域が、前記非重畳領域に設けられ、
前記非疎水領域が、前記重畳領域に設けられていることを特徴とする吸収性物品。
【請求項２】
請求項１に記載の吸収性物品であって、
前記厚さ方向に見て、
前記重畳領域は、前記疎水領域とも重なる部分を有することを特徴とする吸収性物品。
【請求項３】
長手方向と幅方向と厚さ方向とを有し、
第１吸収性コアを備える第１吸収体と、
第２吸収性コアを備え、前記厚さ方向において前記第１吸収体よりも非肌側に配置された第２吸収体と、を備える多層吸収体を有する吸収性物品であって、
前記多層吸収体は、前記厚さ方向における、前記第１吸収体と前記第２吸収体との境界部において、
前記厚さ方向に見て、
疎水部を備える疎水領域と、前記疎水部を備えない非疎水領域と、を有し、
前記第２吸収体の非肌側面に粘着部が設けられており、
少なくとも前記長手方向の所定位置において、
前記幅方向の中央部に設けられ、前記第１吸収体と前記第２吸収体とが接合されている接合部と、
前記幅方向の両端部に設けられ、前記第１吸収体と前記第２吸収体とが離間している一対の離間部と、を有することを特徴とする吸収性物品。
【請求項４】
請求項３に記載の吸収性物品であって、
前記厚さ方向に見て、前記非疎水領域は、前記離間部と重ならない部分を有することを特徴とする吸収性物品。
【請求項５】
請求項３又は４に記載の吸収性物品であって、
前記厚さ方向に見て、前記粘着部は、前記離間部と重なる部分を有することを特徴とする吸収性物品。
【請求項６】
請求項３から５のいずれか１項に記載の吸収性物品であって、
前記厚さ方向に見て、前記疎水領域は、前記離間部と重なる部分を有することを特徴とする吸収性物品。
【請求項７】
請求項３から６のいずれか１項に記載の吸収性物品であって、
前記幅方向における前記第１吸収体の両端部には、前記長手方向に伸縮する一対の弾性部材が配置されており、
前記厚さ方向に見て、前記弾性部材が、前記離間部と重なる部分を有することを特徴とする吸収性物品。
【請求項８】
請求項７に記載の吸収性物品であって、
前記第１吸収体の前記幅方向の両端部には、前記第１吸収性コアが配置されていない部分が設けられており、
前記第１吸収性コアが配置されていない部分において、
前記弾性部材は、前記厚さ方向の両側から肌側不織布と非肌側不織布で挟まれていることを特徴とする吸収性物品。
【請求項９】
請求項８に記載の吸収性物品であって、
前記疎水部が、前記非肌側不織布であることを特徴とする吸収性物品。
【請求項１０】
請求項１から９のいずれか１項に記載の吸収性物品であって、
前記疎水領域には、前記厚さ方向に複数の前記疎水部が設けられていることを特徴とする吸収性物品。
【請求項１１】
長手方向と幅方向と厚さ方向とを有し、
第１吸収性コアを備える第１吸収体と、
第２吸収性コアを備え、前記厚さ方向において前記第１吸収体よりも非肌側に配置された第２吸収体と、を備える多層吸収体を有する吸収性物品であって、
前記多層吸収体は、前記厚さ方向における、前記第１吸収体と前記第２吸収体との境界部において、
前記厚さ方向に見て、
疎水部を備える疎水領域と、前記疎水部を備えない非疎水領域と、を有し、
前記第１吸収体は、肌側から非肌側に向かって凹んだ溝部を有し、
前記厚さ方向に見て、前記疎水領域には、前記溝部がないことを特徴とする吸収性物品。
【請求項１２】
請求項１１に記載の吸収性物品であって、
前記溝部は、前記厚さ方向において、前記第１吸収体から前記第２吸収体に亘って設けられていることを特徴とする吸収性物品。
【請求項１３】
請求項１から１２のいずれか１項に記載の吸収性物品であって、
前記第１吸収性コアの高吸収性ポリマーの坪量が、前記第２吸収性コアの高吸収性ポリマーの坪量より高いことを特徴とする吸収性物品。
【請求項１４】
請求項１から１３のいずれか１項に記載の吸収性物品であって、
前記第２吸収性コアは、高吸収性ポリマーとパルプ繊維を有することを特徴とする吸収性物品。
【請求項１５】
請求項１から１３のいずれか１項に記載の吸収性物品であって、
前記第２吸収性コアは、パルプ繊維を有し、高吸収性ポリマーを有さないことを特徴とする吸収性物品。
【請求項１６】
請求項１から１５のいずれか１項に記載の吸収性物品であって、
前記第２吸収体の方が、前記第１吸収体に比べて、排泄液の最大吸収量が大きいことを特徴とする吸収性物品。
【発明の詳細な説明】
【技術分野】
【０００１】
本発明は、吸収性物品に関する。
【背景技術】
【０００２】
尿などの排泄物を吸収する吸収性物品として生理用ナプキン、軽失禁パッド等が知られている。例えば、特許文献１には、上層吸収体と下層吸収体との間に親水性の液拡散シートを設けて、上層吸収体で吸収した排泄液を液拡散シートが平面的に拡散させてから下層吸収体に吸収させる吸収性物品が記載されている。
【先行技術文献】
【特許文献】
【０００３】
【特許文献１】特開２０１３−１０６６３４号公報
【発明の概要】
【発明が解決しようとする課題】
【０００４】
特許文献１に記載の吸収性物品は、一旦下層吸収体で吸収された排泄液が上層吸収体に戻り、上層吸収体に戻った排泄液によって、着用者に不快感を与えてしまう恐れがあった。
【０００５】
本発明は、上記のような従来の問題に鑑みてなされたものであって、その目的は、第２吸収体で吸収した排泄液が第１吸収体に戻ってしまうことを軽減させる吸収性物品を提供することである。
【課題を解決するための手段】
【０００６】
上記目的を達成するための主たる発明は、長手方向と幅方向と厚さ方向とを有し、第１吸収性コアを備える第１吸収体と、第２吸収性コアを備え、前記厚さ方向において前記第１吸収体よりも非肌側に配置された第２吸収体と、を備える多層吸収体を有する吸収性物品であって、前記多層吸収体は、前記厚さ方向における、前記第１吸収体と前記第２吸収体との境界部において、前記厚さ方向に見て、疎水部を備える疎水領域と、前記疎水部を備えない非疎水領域と、を有し、前記第１吸収体と前記第２吸収体が重なる重畳領域と、前記第１吸収体と前記第２吸収体が重ならない非重畳領域を有し、前記疎水領域が、前記非重畳領域に設けられ、前記非疎水領域が、前記重畳領域に設けられていることを特徴とする吸収性物品である。
本発明の他の特徴については、本明細書及び添付図面の記載により明らかにする。
【発明の効果】
【０００７】
本発明によれば、多層吸収体によって、より多くの排泄液を吸収しつつ、疎水領域によって、第２吸収体で吸収した排泄液が第１吸収体に戻りにくくすることができ、吸収性物品から排泄液が漏れたり、第２吸収体で吸収した排泄液が第１吸収体に戻ることによる着用者に不快感を生じさせてしまう恐れを軽減させることができる。
【図面の簡単な説明】
【０００８】
【図１】伸長状態である軽失禁パッド１を肌側から見た平面図である。
【図２】伸長状態であるパッド１を非肌側から見た平面図である。
【図３】図１のＩＩ線でのパッド１の概略断面図である。
【図４】図３中の部分Ｚの拡大図である。
【図５】ずれ止め部３０、接合部５０及び離間部６０の説明図である。
【図６】パッド１の幅方向の端部を説明する概略断面図である。
【図７】別の実施形態におけるパッド１Ｓを肌側から見た平面図である。
【図８】別の実施形態におけるパッド１Ｓの概略断面図である。
【発明を実施するための形態】
【０００９】
本明細書及び添付図面の記載により、少なくとも以下の事項が明らかとなる。
長手方向と幅方向と厚さ方向とを有し、第１吸収性コアを備える第１吸収体と、第２吸収性コアを備え、前記厚さ方向において前記第１吸収体よりも非肌側に配置された第２吸収体と、を備える多層吸収体を有する吸収性物品であって、前記多層吸収体は、前記厚さ方向における、前記第１吸収体と前記第２吸収体との境界部において、前記厚さ方向に見て、疎水部を備える疎水領域と、前記疎水部を備えない非疎水領域と、を有することを特徴とする吸収性物品である。
【００１０】
このような吸収性物品によれば、多層吸収体によって、より多くの排泄液を吸収しつつ、疎水領域によって、第２吸収体で吸収した排泄液が第１吸収体に戻ってしまうことを軽減することができ、吸収性物品から排泄液が漏れたり、第２吸収体で吸収した排泄液が第１吸収体に戻ることによる着用者に不快感を生じさせてしまう恐れを軽減させることができる。
【００１１】
かかる吸収性物品であって、前記厚さ方向に見て、前記第１吸収体と前記第２吸収体が重なる重畳領域を有し、前記重畳領域は、前記疎水領域と重なる部分を有し、前記重畳領域は、前記非疎水領域とも重なる部分を有することが望ましい。
【００１２】
このような吸収性物品によれば、重畳領域が非疎水領域と重なる部分を有するから、第１吸収体で吸収した排泄液を第２吸収体に移動させつつ、重畳領域が疎水領域と重なる部分を有するから、疎水領域によって第２吸収体で吸収した排泄液が第１吸収体に戻りにくくなり、吸収性物品から排泄液が漏れたり、第２吸収体で吸収した排泄液が第１吸収体に戻ることによる着用者に不快感を生じさせてしまう恐れを軽減させることができる。
【００１３】
かかる吸収性物品であって、前記厚さ方向に見て、前記第１吸収体と前記第２吸収体が重なる重畳領域と、前記第１吸収体と前記第２吸収体が重ならない非重畳領域を有し、前記疎水領域が、前記非重畳領域に設けられ、前記非疎水領域が、前記重畳領域に設けられていることが望ましい。
【００１４】
このような吸収性物品によれば、第１吸収体と第２吸収体によって、より多くの排泄液を吸収しつつ、重畳領域では、第１吸収体で吸収した排泄液を第２吸収体に移動させ、非重畳領域では、第２吸収体で吸収した排泄物が第２吸収体より肌側に移動してしまう恐れを軽減させることができ、吸収性物品から排泄液が漏れてしまう恐れを軽減させることができる。また、第１吸収体が第２吸収体より大きい場合に、着用者の座位姿勢の変化等によって非重畳領域と重なる部分に厚さ方向への力が加えられても、厚さ方向に見て、非重畳領域と重なる第１吸収体の非肌側面において、非重畳領域に設けられた疎水領域によって、第１吸収体で吸収した排泄物が第１吸収体の非肌側面から非肌側に向かって漏れてしまう恐れを軽減させることができる。
【００１５】
かかる吸収性物品であって、前記第２吸収体の非肌側面に粘着部が設けられており、少なくとも前記長手方向の所定位置において、前記幅方向の中央部に設けられ、前記第１吸収体と前記第２吸収体とが接合されている接合部と、前記幅方向の両端部に設けられ、前記第１吸収体と前記第２吸収体とが離間している一対の離間部と、を有することが望ましい。
【００１６】
このような吸収性物品によれば、離間部において、第１吸収体と第２吸収体とが当接している場合よりも、第２吸収体で吸収した排泄液が第１吸収体に戻りにくくなる。
【００１７】
かかる吸収性物品であって、前記厚さ方向に見て、前記非疎水領域は、前記離間部と重ならない部分を有することが望ましい。
【００１８】
このような吸収性物品によれば、第１吸収体から第２吸収体への排泄液の移動を妨げる恐れを軽減させることができる。
【００１９】
かかる吸収性物品であって、前記厚さ方向に見て、前記粘着部は、前記離間部と重なる部分を有することが望ましい。
【００２０】
このような吸収性物品によれば、第２吸収体は、粘着部で接着された下着側の動きに応じやすいため、離間部において、第１吸収体と第２吸収体とが当接している場合よりも、第２吸収体で吸収した排泄液が第１吸収体に戻ってしまうことをより軽減することができる。
【００２１】
かかる吸収性物品であって、前記厚さ方向に見て、前記疎水領域は、前記離間部と重なる部分を有することが望ましい。
【００２２】
このような吸収性物品によれば、厚さ方向に見て、離間部のうち、疎水領域と重なる部分は、第２吸収体で吸収した排泄液が第１吸収体に戻ってしまうことをより軽減することができる。
【００２３】
かかる吸収性物品であって、前記幅方向における前記第１吸収体の両端部には、前記長手方向に伸縮する一対の弾性部材が配置されており、前記厚さ方向に見て、前記弾性部材が、前記離間部と重なる部分を有することが望ましい。
【００２４】
このような吸収性物品によれば、弾性部材の収縮によって、離間部における第１吸収体と第２吸収体との間をより離間させやすくなり、第２吸収体で吸収した排泄液が第１吸収体に戻ってしまうことをより軽減することができる。
【００２５】
かかる吸収性物品であって、前記第１吸収体の前記幅方向の両端部には、前記第１吸収性コアが配置されていない部分が設けられており、前記第１吸収性コアが配置されていない部分において、前記弾性部材は、前記厚さ方向の両側から肌側不織布と非肌側不織布で挟まれていることが望ましい。
【００２６】
このような吸収性物品によれば、弾性部材によって、第１吸収体の幅方向の両端部が立ち上がりやすくなり、幅方向の中央部が凹んだ凹形状となることで、排泄液が吸収性物品から漏れる恐れを軽減させることができる。
【００２７】
かかる吸収性物品であって、前記疎水部が、前記非肌側不織布であることが望ましい。
【００２８】
このような吸収性物品によれば、疎水部として新たな資材を設ける必要がないため、製造コストを低減できる。
【００２９】
かかる吸収性物品であって、前記疎水領域には、前記厚さ方向に複数の前記疎水部が設けられていることが望ましい。
【００３０】
このような吸収性物品によれば、第２吸収体で吸収した排泄液が第１吸収体に戻ってしまうことをより軽減することができる。
【００３１】
かかる吸収性物品であって、前記第１吸収体は、肌側から非肌側に向かって凹んだ溝部を有し、前記厚さ方向に見て、前記疎水領域には、前記溝部がないことが望ましい。
【００３２】
このような吸収性物品によれば、疎水領域において、溝部によって第１吸収体と第２吸収体との間の排泄液が移動することを抑制することができるため、第２吸収体で吸収した排泄液が第１吸収体に戻りにくくすることができる。
【００３３】
かかる吸収性物品であって、前記溝部は、前記厚さ方向において、前記第１吸収体から前記第２吸収体に亘って設けられていることが望ましい。
【００３４】
このような吸収性物品によれば、疎水領域によって、第２吸収体で吸収した排泄液が第１吸収体に戻りにくくし、第１吸収体から第２吸収体への排泄液の移動を促しやすくなる。
【００３５】
かかる吸収性物品であって、前記第１吸収性コアの高吸収性ポリマーの坪量が、前記第２吸収性コアの高吸収性ポリマーの坪量より高いことが望ましい。
【００３６】
このような吸収性物品によれば、第１吸収性コアより第２吸収性コアの高吸収性ポリマーの坪量が高い場合よりも、第１吸収性コアの保水性を高めることができ、第１吸収性コアで吸収した排泄液が着用者の肌側に戻ってしまう恐れを軽減させることができる。
【００３７】
かかる吸収性物品であって、前記第２吸収性コアは、高吸収性ポリマーとパルプ繊維を有することが望ましい。
【００３８】
このような吸収性物品によれば、パルプ繊維は液体を引き込みやすいため、第１吸収体で吸収した排泄液が第２吸収体に引き込まれやすくなり、第１吸収体で吸収した排泄液が肌側に戻ることを軽減させやすくなる。
【００３９】
かかる吸収性物品であって、前記第２吸収性コアは、パルプ繊維を有し、高吸収性ポリマーを有さないことが望ましい。
【００４０】
このような吸収性物品によれば、第２吸収性コアにおいて、高吸収性ポリマーを備える場合より、排泄液の拡散性を向上させることができるため、より早く第２吸収性コアの広い範囲で排泄液を吸収することができる。
【００４１】
かかる吸収性物品であって、前記第２吸収体の方が、前記第１吸収体に比べて、排泄液の最大吸収量が大きいことが好ましい。
【００４２】
このような吸収性物品によれば、第２吸収体は、第１吸収体より非肌側に設けられているため、第２吸収体がより多くの排泄液を吸収して、着用者の肌に与える排泄液による不快感をより軽減させることができる。
【００４３】
＝＝＝本実施形態＝＝＝
以下、本実施形態に係る吸収性物品の一例として、軽失禁パッドを例に挙げて説明する。ただし、吸収性物品は軽失禁パッドに限定されず、他の吸収性物品として、例えば、生理用ナプキンやパンティライナ等が挙げられる。
【００４４】
＝＝＝軽失禁パッド１の基本構成＝＝＝
図１は、伸長状態である軽失禁パッド１（以下「パッド」とも呼ぶ）を肌側から見た平面図である。図２は、伸長状態であるパッド１を非肌側から見た平面図である。図３は、図１のＩＩ線でのパッド１の概略断面図である。なお、パッド１の伸長状態とは、パッド１を皺なく伸長させた状態である。具体的には、パッド１を構成する各資材の寸法が、パッド１が有する弾性部材の影響を受けない状態で、その資材単体の寸法と一致又はそれに近い長さになるまで、パッド１を伸長させた状態である。
【００４５】
パッド１は、長手方向と幅方向と厚さ方向を有する。厚さ方向において着用者の肌に当接する側が肌側であり、その反対側が非肌側である。本実施形態のパッド１は長手方向に対称な構成となっている。そのため、パッド１の長手方向の一方側が着用者の腹側となってもよいし、着用者の背側となってもよい。
【００４６】
パッド１は、図３に示すように、多層吸収体１００、一対の第１サイドシート１６、一対の第２サイドシート２５、バックシート２４を有する。
【００４７】
「多層吸収体」とは、厚さ方向に複数の吸収体が重ねられたものをいう。パッド１の多層吸収体１００は、第１吸収体１０と、厚さ方向において第１吸収体１０よりも非肌側に配置された第２吸収体２０を有する。多層吸収体１００は、まず、肌側に配置された第１吸収体１０が排泄液を吸収し、第１吸収体１０が吸収した排泄液を、第１吸収体より非肌側に配置された第２吸収体２０が吸収することで、より多くの排泄液を吸収することができるとともに、第１吸収体１０で吸収した排泄液を第２吸収体に移動させるため、第１吸収体１０に残存する排泄液を減少させ、着用時の肌触りを向上させることができる。おむつ１の第１吸収体１０の幅方向の長さは、第２吸収体２０の幅方向の長さと略同じ、又は第２吸収体２０の幅方向の長さより若干短い。なお、多層吸収体１００としては、２つの吸収体（第１吸収体１０、第２吸収体２０）に限らず、２以上の吸収体を有していてもよい。
【００４８】
第１吸収体１０は、第１吸収性コア１１と、第１吸収性コア１１の肌側面を覆う第１肌側コアラップ１２と、第１吸収性コア１１の非肌側面を覆う第１非肌側コアラップ１３と、第１肌側コアラップ１２よりも肌側に配置された表面シート１４と、表面シート１４と第１肌側コアラップ１２の間に配置された中間シート１５と、を有する。各資材はホットメルト等の接着剤Ａ１〜Ａ６で接合されている。
【００４９】
表面シート１４、及び中間シート１５は、液透過性のシートとする。液透過性のシートには、不織布（例えばエアスルー不織布やスパンボンド不織布等）や、貫通孔を有する合成樹脂フィルム等を採用できる。
【００５０】
第１吸収性コア１１は、高吸収性ポリマー（以下「ＳＡＰ」とも呼ぶ）である。第１肌側コアラップ１２及び第１非肌側コアラップ１３は、液透過性のシートであり、不織布等を採用できる。以下の説明では、第１吸収性コア１１と、第１肌側コアラップ１２と、第１非肌側コアラップ１３を合わせて、第１コア部１１〜１３とも呼ぶ。
【００５１】
第１肌側コアラップ１２の幅方向の両端部は、第１吸収性コア１１及び第１非肌側コアラップ１３の幅方向の両端縁を巻き込むようにして、第１非肌側コアラップ１３の非肌側面上の一部に折り返されている。その第１肌側コアラップ１２の折返し部と、第１非肌側コアラップ１３との間には、香料１７が配置されている。香料１７によって、排泄液の臭いをマスキングしたり、パッド１を使用することへの着用者の不安な気持ちや憂鬱さを緩和したりすることができる。
【００５２】
第１サイドシート１６は、第１吸収体１０の幅方向の両端部に配置されている。第１サイドシート１６は、液不透過性のシートとし、本実施形態では、疎水性繊維を含む不織布（例えばエアスルー不織布やスパンボンド不織布）である。第１サイドシート１６の一端部は、接着剤Ａ６にて、第１コア部１１〜１３の非肌側面における幅方向の両端部に固定されている（具体的には第１肌側コアラップ１２の折返し部に固定されている）。その固定部分から、第１サイドシート１６は、第１コア部１１〜１３と表面シート１４と中間シート１５の幅方向の両端縁を巻き込むようにして、表面シート１４の肌側面側に向かって折り返されている。そして、第１サイドシート１６の他端部は、接着剤Ａ７にて、表面シート１４の肌側面における幅方向の両端部に固定されている。
【００５３】
また、第１サイドシート１６の幅方向の端縁には、長手方向に伸縮する１本の糸ゴム１８（弾性部材）が配置されている。つまり、糸ゴム１８は長手方向に伸長した状態で第１サイドシート１６に固定されている。なお、糸ゴム１８（糸状の弾性部材）の代わりに、伸縮性フィルム等のシート状の弾性部材を配置してもよい。また、糸ゴム１８の数は１本に限らず複数本であってもよい。また、図面では、糸ゴム１８のうち、伸縮性が発現される伸縮部（図２の１８ａ〜１８ｂ）のみを示す。
【００５４】
第２吸収体２０は、第２吸収性コア２１と、第２吸収性コア２１の肌側面を覆う第２肌側コアラップ２２と、第２吸収性コア２１の非肌側面を覆う第２非肌側コアラップ２３と、を有する。各資材はホットメルト等の接着剤Ａ８〜Ａ１１で接合されている。
【００５５】
第２吸収性コア２１は、パルプ繊維やセルロース系吸収性繊維等の液体吸収性繊維が所定の形状に成形されたものである。液体吸収性繊維に、高吸収性ポリマー（ＳＡＰ）が加えられていてもよいし、加えられていなくてもよいとする。第２肌側コアラップ２２及び第２非肌側コアラップ２３は、液透過性のシートであり、例えば、ティッシュや不織布等を採用できる。第２肌側コアラップ２２の幅方向の両端部は、第２吸収性コア２１を巻き込むように、第２吸収性コア２１の非肌側面における幅方向の両端部の位置に折り返されている。第２非肌側コアラップ２３は、第２肌側コアラップ２２の折返し部よりも非肌側から、第２吸収性コア２１の非肌側面を覆うように配置されている。以下の説明では、第２吸収性コア２１と、第２肌側コアラップ２２と、第２非肌側コアラップ２３を合わせて第２コア部２１〜２３とも呼ぶ。
【００５６】
バックシート２４は、第２非肌側コアラップ２３よりも非肌側に配置されている。バックシート２４は、液不透過性のシートとする。液不透過性のシートには、ポリエチレン（ＰＥ）やポリポロピレン（ＰＰ）等の合成樹脂フィルムや、合成樹脂フィルム及び不織布の複合シート等を採用できる。
【００５７】
第２サイドシート２５は、第２肌側コアラップ２２の肌側面における幅方向の両端部から幅方向の外側に延出した一対のシート部材である。第２サイドシート２５は、第１サイドシート１６と同様に、液不透過性シートであり、疎水性繊維を含む不織布等を採用できる。バックシート２４及び第２サイドシート２５は、第１吸収体１０及び第２コア部２１〜２３よりも幅方向の外側に延出しており、第２コア部２１〜２３から延出した部分において互いに接合されている。
【００５８】
第１吸収体１０及び第２吸収体２０は、第２サイドシート２５の肌側面に配置された接着剤Ａ１２と、厚さ方向において第２サイドシート２５と第２コア部２１〜２３の間に配置された接着剤Ａ８にて接合されている。具体的には、第１サイドシート１６と第２サイドシート２５が接着剤Ａ１２にて接合されている。また、幅方向に間隔をあけて配置された一対の第２サイドシート２５の間では、第１コア部１１〜１３と第２吸収体２０とが接着剤Ａ８にて接合されている。
【００５９】
また、図１に示すように、第１コア部１１〜１３の平面形状は長方形状である。第２コア部２１〜２３の平面形状は、長手方向の両端部が幅方向の外側に凸に湾曲した略長方形状である。第１コア部１１〜１３は、第２コア部２１〜２３と比べて、幅方向の長さが略同じ、又は第２コア部２１〜２３の方が若干長く、長手方向の長さが短くなっている。
【００６０】
バックシート２４の非肌側面には、ホットメルト接着剤が塗布される等したずれ止め部３０（粘着部）が設けられている。ずれ止め部３０は、着用者の下着の肌側面に貼付され、パッド１は下着に固定された状態で使用される。図２に示すように、ずれ止め部３０は、幅方向に間隔をあけて配置された一対の中央粘着部３１と、中央粘着部３１よりも幅方向の外側に配置された４個のサイド粘着部３２と、を有する。
【００６１】
中央粘着部３１は、長手方向に長辺を有する長方形状であり、パッド１の長手方向の一端部から他端部に亘り長手方向に連続して配置されている。サイド粘着部３２は、長手方向に長辺を有する長方形状であり、中央粘着部３１に比べて長手方向の長さが短い。４個のサイド粘着部３２のうち２個のサイド粘着部３２は、パッド１の長手方向の一端部に配置され、別の２個のサイド粘着部３２は、パッド１の長手方向の他端部に配置されている。換言すると、中央粘着部３１の幅方向の外側では、一対のサイド粘着部３２が長手方向に間隔をあけて配置されている。
【００６２】
パッド１は、パッド１が厚さ方向に凹んだ圧搾部４０を有する。本実施形態の圧搾部４０は、厚さ方向において第１吸収体１０の表面シート１４から第２コア部２１〜２３にかけて肌側から圧搾されている。
【００６３】
圧搾部４０では、周囲に比べてパッド１の厚さが薄く、パッド１の繊維密度が高くなっている。これらの比較は周知の方法で行うとよい。パッド１の厚さの比較としては、目視で比較する方法や、ミツトヨ（株）製のダイアルシックネスゲージＩＤ−Ｃ１０１２Ｃ又はそれと同等のものを使用し、対象部位を例えば３．０ｇｆ／ｃｍ２で加圧して測定した値を取得して比較する方法を例示できる。パッド１の密度の比較としては、パッド１を厚さ方向に切った断面を電子顕微鏡等で拡大した画像に基づき比較する方法を例示できる。
【００６４】
圧搾部４０は、長手方向に延び、かつ、幅方向に間隔をあけて配置された一対の第１圧搾部４１と、一対の第１圧搾部４１の間において幅方向に延び、かつ、長手方向に間隔をあけて配置された一対の第２圧搾部４２と、を有する。第１圧搾部４１は、パッド１の長手方向の中央部において（つまり着用者の股下部に当接する領域において）、幅方向の内側に凸に湾曲した形状を成す。第２圧搾部４２は、長手方向の外側に凸に湾曲した形状を成す。ただし、図１に例示する圧搾部４０の形状や数や配置位置は一例であり、これに限定されるものではない。また、長手方向や幅方向に延びた線状の圧搾部４０（４１，４２）は、各方向に連続してパッド１が凹んだ溝状の圧搾部であってもよいし、複数の点状の圧搾部が線状に並んだ圧搾部であってもよい。
【００６５】
以上、パッド１の基本構成を説明したが、上記のパッド１の構成は一例であり、これに限定されるものではない。例えば、パッド１の平面形状が長手方向に非対称な形状であってもよいし、パッド１が中間シート１５や香料１７を有していなくてもよい。また、第１吸収性コア１１や第２吸収性コア２１がそれぞれ１枚のコアラップで包まれていてもよい。
【００６６】
＝＝＝パッド１の疎水領域Ｈと非疎水領域Ｎについて＝＝＝
パッド１の多層吸収体１００は、厚さ方向において、第１吸収体１０と第２吸収体２０との境界部に疎水性を備えた疎水部を有している。具体的には、図３、図４に示すように、多層吸収体１００は、厚さ方向において、第１吸収体１０と第２吸収体２０との間に疎水性を備えた第２サイドシート２５を備えている。図４は、図３中の部分Ｚの拡大図である。
【００６７】
第１吸収体１０と第２吸収体２０との「境界部」とは、パッド１では、第１吸収体１０の非肌側面と第２吸収体２０の肌側面との間をいう。第１吸収体１０の非肌側面と第２吸収体２０の肌側面との間には、第１吸収体１０の非肌側面と第２吸収体２０の肌側面を含む。
【００６８】
また、第１吸収体１０及び第２吸収体２０は、それぞれ上述の構成に限られない。例えば、第１吸収体１０及び第２吸収体２０が、それぞれ上述のコアラップ（１１、２２、２３）等を備えずに第１吸収性コア１１、第２吸収性コア２１のみで構成されていてもよいし、第１吸収体１０及び第２吸収体２０が、それぞれ上述のコアラップ（１１、２２、２３）等の構成部材の一部でも、上述の構成部材以外の部材を備えていてもよい。
【００６９】
「疎水性」とは、表面に液体が滴下された場合において液体が広がりにくい特性をいい、好ましくは、滴下された液体が９０°より大きい接触角を有する状態となる特性を有する部分である。つまり、疎水領域Ｈは、液体の移動を軽減させる領域であり、非疎水領域Ｎは、液体の移動を妨げない領域である。「疎水部」とは、疎水性の部材を備える部分をいい、疎水部としては、第２サイドシート２５のように、疎水性のシート部材であってもよいし、疎水剤を塗布した部分であってもよい。
【００７０】
第２サイドシート２５は、疎水性の不織布である。疎水性の不織布が含む疎水性繊維としては、当技術分野で用いられているものであれば、特に制限なく採用でき、例えば、ポチエチレン（ＰＥ）、ポリプロピレン（ＰＰ）、エチレン−酢酸ビニル共重合体（ＥＶＡ）等のオレフィン系繊維、ポリエチレンテレフタレート（ＰＥＴ）等が、単独で又は複数で採用できる。
【００７１】
図１、図３、図４に示すように、このパッド１を厚さ方向に見て、多層吸収体１００は、疎水部（第２サイドシート２５）を備える疎水領域Ｈと、疎水部を備えない非疎水領域Ｎとを有する。これによって、非疎水領域Ｎでは、図４の矢印Ｓ１に示すように、第１吸収体１０から第２吸収体２０への排泄液の移動を可能としつつ、疎水領域Ｈにおいて、第２吸収体２０で一旦吸収された排泄液が、図４の矢印Ｓ２に示すように、第１吸収体１０に戻りにくくすることができる。これによって、第１吸収体１０の排泄液が着用者の肌に当接して、着用者に不快感を生じさせてしまう恐れを軽減させることができる。
【００７２】
具体的には、非疎水領域Ｎでは、第１吸収体１０から第２吸収体に排泄液の移動が可能であるため、まず、第１吸収体１０（第１吸収性コア１１）で吸収された排泄液は、非疎水領域Ｎで、第１吸収体１０から第２吸収体２０に移動して、第２吸収体２０で吸収される（図４の矢印Ｓ１）。第２吸収体２０で吸収された排泄液は、疎水領域Ｎでは、疎水性の第２サイドシート２５によって排泄液が第２吸収体２０から第１吸収体１０に戻りにくくする（図４の矢印Ｓ２）。そのため、第２吸収体２０で吸収した排泄液が第１吸収体１０に戻りにくくし、第１吸収体１０の排泄液が着用者の肌に当接して、着用者に不快感を生じさせてしまう恐れを軽減させることができる。
【００７３】
また、図１、図３、図４に示すように、パッド１を厚さ方向に見て、第１吸収体１０と第２吸収体２０が重なる重畳領域Ｘにおいて、重畳領域Ｘが疎水領域Ｈと重なる部分Ｈｘを有し、且つ、重畳領域Ｘが非疎水領域Ｎと重なる部分Ｎｘを有することが好ましい。重畳領域Ｘにおいて、疎水領域Ｈと重なる部分Ｈｘを有することで、第１吸収体１０で吸収した排泄液を、第２吸収体２０（図４の矢印Ｓ１の方向）に向かって移動させることができつつ、重畳領域Ｘが疎水領域Ｈと重なる部分Ｎｘによって、第２吸収体２０で一旦吸収された排泄液が、第１吸収体１０に戻ること疎水性の第２サイドシート２５が軽減させるため（図４の矢印Ｓ２）、第２吸収体２０から第１吸収体１０への排泄物の移動を軽減させて、第１吸収体１０に戻ってきた排泄液によって着用者に不快感を生じさせてしまう恐れを軽減させることができる。
【００７４】
パッド１は、第１吸収体１０と第２吸収体２０を有するが、第１吸収体１０の幅方向の両端部は第２吸収体２０に接合されていない。つまり、パッド１は、幅方向の中央部において、第１吸収体１０と第２吸収体２０とが接合されている接合部５０を有し、幅方向の両端部において、第１吸収体１０と第２吸収体２０とが離間している一対の離間部６０を有する。図５は、ずれ止め部３０、接合部５０及び離間部６０の説明図である。図６は、パッド１の幅方向の端部を説明する概略断面図である。図５では、接合部５０とずれ止め部３０を厚さ方向に重ねて示しており、接合部５０の輪郭線を太線で示す。
【００７５】
具体的には、図３に示すように、第１吸収体１０と第２吸収体２０は、第１サイドシート１６と第２サイドシート２５の間の接着剤Ａ１２と、第１コア部１１〜１３と第２コア部２１〜２３の間の接着剤Ａ８とで接合されている。そのため、図５に示すように、接着剤Ａ１２の幅方向における外側端よりも内側の領域を接合部５０とする。接合部５０では、その全域に接着剤が配置されるに限らず、接着剤の塗布パターンに応じて間欠的に接着剤が配置されていてもよい。
【００７６】
接合部５０及び離間部６０を有するパッド１は、図６に示すように、第１吸収体１０の一対の離間部６０（幅方向の両端部）は、第２吸収体２０に対して肌側に起立可能となる。具体的には、図４の断面図に示すように、第１サイドシート１６と第２サイドシート２５を接合する接着剤Ａ１２よりも幅方向の外側の第１吸収体１０の部位が肌側に起立可能となる。
【００７７】
パッド１の断面形状を受皿形状にすると、比較的に多量の排泄液が第１吸収体１０に排泄された場合にも、第１吸収体１０の起立した離間部６０によって排泄液をせき止めることができ、排泄液の横漏れを抑制できる。また、起立した離間部６０の斜面によって、排泄液を第１吸収体１０の幅方向の中央部に集められるため、排泄液がパッド１の内部に吸収、保持されやすくなる。よって、パッド１からの排泄液の漏れを抑制できる。
【００７８】
パッド１では、幅方向の両端部に設けられた離間部６０において、第１吸収体１０と第２吸収体２０とが離間しているため、第１吸収体１０と第２吸収体２０とが当接している場合よりも、第１吸収体１０を第２吸収体２０から遠ざけやすくなり、第２吸収体２０で吸収された排泄液が第１吸収体１０に戻りにくくすることができる。
【００７９】
第１吸収体１０の幅方向の両端部（一対の離間部６０）において、長手方向に伸縮する一対の糸ゴム１８が配置され、パッド１を厚さ方向に見て、糸ゴム１８が、離間部６０と重なる部分を有することが好ましい。この糸ゴム１８の収縮によって、第１吸収体１０の離間部６０の起立性が向上して、図６に示すように、パッド１の断面形状が受皿形状となる。つまり、糸ゴム１８によって、離間部６０における、第１吸収体１０と第２吸収体２０とを離間させやすくなるため、第２吸収体２０で吸収された排泄液が第１吸収体１０に戻りにくくなる。なお、糸ゴム１８は、長手方向に長く設けられた離間部６０の、長手方向の全域に亘り配置されてもよいし、本実施形態のように、離間部６０の長手方向の一部に糸ゴム１８が配置されていてもよい。
【００８０】
また、第１吸収体１０の幅方向の外側には、第１吸収性コア１１が配置されていない部分を有する。つまり、図４に示すように、パッド１では、第１サイドシート１６の幅方向の外側の端部は、第１コア部１１〜１３の端縁よりも幅方向の外側延出している。このとき、糸ゴム１８が、厚さ方向の両側から肌側不織布（１６ａ）と非肌側不織布（１６ｂ）で挟まれていることが好ましい。幅方向に二つに折られた第１サイドシート１６のうち、肌側に位置する部分を肌側不織布１６ａとし、非肌側に位置する部分を非肌側不織布１６ｂとした場合に、肌側不織布１６ａと非肌側不織布１６ｂとを、糸ゴム１８を間に挟んで接着剤Ａ６、Ａ７で接合している。これによって、離間部６０の幅方向の端まで第１吸収性コア１１が配置されている場合に比べて、離間部６０の起立性が向上し、幅方向の中央部が凹んだ凹形状となることで、排泄液の漏れを抑制できる。
【００８１】
なお、離間部６０の肌側面の大部分において、疎水性の不織布である第１サイドシート１６が配置されている。第１サイドシート１６は疎水性繊維を含む不織布であり、疎水性繊維としては、当技術分野で用いられているものであれば、特に制限なく採用でき、例えば、ポチエチレン（ＰＥ）、ポリプロピレン（ＰＰ）、エチレン−酢酸ビニル共重合体（ＥＶＡ）等のオレフィン系繊維、ポリエチレンテレフタレート（ＰＥＴ）等が、単独で又は複数で採用できる。離間部６０の最も肌側面の肌側不織布１６ａが疎水部を備えることで、パッド１の幅方向における外側への排泄物の漏れを抑制することができる。
【００８２】
第１吸収体１０と第２吸収体２０との境界部に、複数の疎水部を備えることで、疎水性をより向上させ、一旦、第２吸収体２０で吸収された排泄液が第１吸収体１０に戻らないようにすることができる。パッド１では、疎水性の不織布である第２サイドシート２５が疎水部であることに加え、疎水性の不織布である第１サイドシート１６の非肌側不織布１６ｂが、第１吸収体１０と第２吸収体２０との境界部に設けられている。つまり、疎水領域Ｎに、第２サイドシート２５と非肌側不織布１６ｂの２つの疎水部が設けられているため、疎水領域Ｎの疎水性を向上させている。
【００８３】
また、図４、図５等に示すように、パッド１を厚さ方向に見て、非疎水領域Ｎが、離間部６０と重ならない部分を有することが好ましく、より好ましくは、パッド１を厚さ方向に見て、非疎水領域Ｎが接合部５０と重なる部分にのみ設けられているとよい。これによって、第１吸収体１０から第２吸収体２０へ排泄物を移動させやすくなる。
【００８４】
パッド１を厚さ方向に見て、疎水領域Ｈが、離間部６０と重なる部分を有することが好ましく、より好ましくは、パッド１を厚さ方向に見て、離間部６０の全域が疎水領域Ｈと重なっているとよい。例え、着用者がパッド１の厚さ方向に体圧を加え、第１吸収体１０と第２吸収体２０との間の離間が縮められてしまった場合でも、離間部６０と重なる部分に設けられた疎水領域Ｈによって、第２吸収体２０で吸収された排泄液が第１吸収体１０に戻ってしまう恐れを軽減させることができる。
【００８５】
パッド１を厚さ方向に見て、ずれ止め部３０が、離間部６０と重なる部分を有するとよい。本実施形態では、サイド粘着部３２における長手方向中央側の部分（図５に示す３２１の部分）が、離間部６０と重なっている。そうすることで、離間部６０が変形しても、第２吸収体２０は、下着の復元力によって元の位置（下着の縁近傍）に戻りやすくなり、第１吸収体１０と第２吸収体２０との間の離間を維持しやすくなる。そのため、第１吸収体１０と第２吸収体２０とが当接している場合よりも、一旦、第２吸収体２０で吸収された排泄液が第１吸収体１０に戻りにくくなる。
【００８６】
第１吸収体１０が、肌側から非肌側に向かって凹んだ溝部（圧搾部４０）を有し、パッド１を厚さ方向に見た場合に、疎水領域Ｈに溝部を有していないことが好ましい。「溝部」は、厚さ方向に凹んだ部分であり、予め窪ませた形状として形成された凹部、切り込みによる凹部、圧搾による凹部等とすることができる。第１吸収体１０に設けられた溝部では、第１吸収体１０の肌側から非肌側への排泄液の移動を促しやすく、これに伴い、第１吸収体１０と第２吸収体２０との間の排泄液の移動も促しやすくなる。一方、仮に、疎水領域Ｈに溝部を設けてしまうと、疎水領域Ｈにおいて、第２吸収体２０へより多くの排泄液が移動してしまい、着用者の体圧等による厚さ方向の力が加わった場合には、第１吸収体１０側に排泄液が戻りやすくなってしまう恐れがある。この点、疎水領域Ｈに溝部を設けないことで、第２吸収体２０で吸収された排泄液が、第１吸収体１０に戻りにくくなる。
【００８７】
一方、非疎水領域Ｎに設ける溝部としては、厚さ方向において、第１吸収体１０から第２吸収体２０に亘って設けられていることがより好ましい。第１吸収体１０から第２吸収体２０にまで設けられた溝部が、第２吸収体２０まで排泄液を引き込みやすくなるため、第１吸収体１０から第２吸収体２０へと素早く排泄液を移行させやすくなる。
【００８８】
溝部として、厚さ方向に圧搾された圧搾部４０を設けることが好ましく、図１に示すように、パッド１を厚さ方向に見た場合に、非疎水領域Ｎに圧搾部４０を有することが好ましい。圧搾部４０では、周囲に比べてパッド１の繊維密度が高まる。そのため、パッド１に圧搾部４０が設けられることで、厚さ方向に凹んでいるだけでなく、毛細管現象により、排泄液が引き込まれやすくなり、排泄液が第１吸収体１０から第２吸収体２０へ素早く移行して、第１吸収体１０が排泄液を吸収しきれずに、パッド１から排泄液が溢れて漏れてしまうことを抑制できる。また、圧搾部４０によって、パッド１は型崩れし難くなり、ヨレ難くなる。本実施形態の圧搾部４０は、表面シート１４から第２コア部２１〜２３にかけて肌側から非肌側に向かって圧搾されている。
【００８９】
ただし、上記に限定されず、圧搾部４０は、第１吸収体１０と第２吸収体２０を個別に圧搾するものであってもよい。また、第１吸収体１０と第２吸収体２０を個別に圧搾する圧搾部と、第１吸収体１０から第２吸収体２０に亘る圧搾部の両方がパッド１に設けられていてもよい。
【００９０】
第１吸収性コア１１が、第２吸収性コア２１に比べて、高吸収性ポリマー（ＳＡＰ）の坪量（ｇ／ｍ２）を高いことが好ましい。一般的に、高吸収性ポリマー（ＳＡＰ）は、排泄液等の保水性が高い。そのため、第１吸収性コア１１より第２吸収性コアのＳＡＰの坪量が高い場合よりも、第１吸収性コア１１の保水性を高くすることができる。これによって、第１吸収性コア１１で吸収した排泄液が、第１吸収性コア１１の肌側の表面に戻って、着用者の肌に当接してしまう恐れを軽減できる。ＳＡＰの坪量（ｇ／ｍ２）は、第１吸収性コア１１と第２吸収性コア２１からそれぞれサンプルとして所定領域を切り出し、各サンプルからＳＡＰを取り出し、取り出したＳＡＰ重量から各サンプルの面積を除することで得られる。
【００９１】
第１吸収性コア１１は、パルプ繊維の坪量が少ない、又はパルプ繊維を有さずに、高吸収性ポリマー（ＳＡＰ）を有することがより好ましい。パッド１の第１吸収性コア１１はＳＡＰのみで構成される。第１吸収性コア１１においてパルプ繊維の坪量が少なくなる、又はゼロとなることで、第１吸収性コア１１の保水性を向上させつつ、第１吸収性コア１１の厚みが薄くなり、第１吸収体１０はヨレ難くなる。
【００９２】
また、パッド１のように、第２吸収性コア２１が、高吸収性ポリマー（ＳＡＰ）とパルプ繊維を有することが好ましい。パルプ繊維は、液体を引き込みやすい性質を有する。そのため、第１吸収体１０で吸収された排泄液を、第２吸収体２０のパルプ繊維が引き込み、第２吸収体２０で吸収しやすくなるため、パッド１から排泄液が溢れて漏れてしまうことを抑制できる。そして、パルプ繊維が引き込んだ排泄液は、第２吸収体２０に備える高吸収性ポリマー（ＳＡＰ）で保持しやすくなるため、第２吸収体２０で吸収された排泄液が第１吸収体１０に戻ることを軽減する。第２吸収体２０がＳＡＰとパルプ繊維を有することは、第２吸収性コア２１の表面や断面を目視で確認、又は光学顕微鏡で投影した画像で確認等の周知の方法で行うことができる。
【００９３】
なお、第２吸収性コア２１が、パルプ繊維を有し、高吸収性ポリマー（ＳＡＰ）を有さないものであってもよい。パルプ繊維は、液体を引き込みやすく、また、高吸収性ポリマー（ＳＡＰ）より液体の拡散性が優れている。そのため、パルプ繊維を有し、且つ高吸収性ポリマー（ＳＡＰ）を有さない第２吸収性コア２１は、高吸収性ポリマー（ＳＡＰ）を有する場合よりも、ＳＡＰによって排泄液の拡散が阻害されないため、排泄液は第２吸収性コア２１の平面方向に広く拡散される。よって、素早く第２吸収性コア２１のより広い範囲で排泄液を吸収させやすくなり、第２吸収性コア２１の吸収性能が有効に利用される。
【００９４】
また、第２吸収体２０の方が、第１吸収体１０に比べて、排泄液の最大吸収量が大きいことが好ましい。そうすることで、第１吸収体１０から第２吸収体２０に移行した排泄液を、第２吸収体２０にて吸収、保持できるため、第１吸収体１０への排泄液の戻り（リウェット）を抑制できる。よって、第１吸収体１０が排泄液を吸収しきれずにパッド１から排泄液が溢れて漏れる恐れを軽減できる。また、第１吸収体１０より非肌側に位置する第２吸収体２０がより多くの排泄液を吸収することができるため、着用者の肌により近い第１吸収体１０が吸収する排泄液を減少させ、着用者の肌に与える排泄液による不快感をより軽減させ、パッド１の着け心地も向上する。
【００９５】
第１吸収体１０と第２吸収体２０における排泄液の最大吸収量の測定は、例えば、ＪＩＳＫ７２２３（１９９６）の高吸水性樹脂の吸水量試験方法に準じて行なうことができる。概略を説明すると、測定対象の第１，第２吸収体１０，２０がそれぞれ備える第１，第２吸収性コア１１，２１からサンプル（例：０．２０ｇ又は１．００ｇ）を切り出す。サンプルの質量をａ（ｇ）とする。  
そして、２５０メッシュのナイロン網で作製したティーバッグにサンプルを入れる。そのティーバッグを試験液（脱イオン水又は０．９質量％の食塩水）に１時間浸漬させる。その後、ティーバッグを吊るして（例：１０分間）水切りし、水切り後のティーバッグの重さをｂ（ｇ）とする。また、空のティーバッグに関しても同様に試験液に浸漬して水切りした後の重さｃ（ｇ）を測定する。上記の操作を複数回（例：５回）行い、測定値の平均値ａ〜ｃ（ｇ）を取得するとよい。  
サンプル１ｇ当たりの吸収量Ｗ（ｇ／ｇ）は式「Ｗ＝（ｂ−ｃ−ａ）／ａ」にて算出される。各サンプルの吸収量Ｗ（ｇ／ｇ）に、第１吸収性コア１１の質量と第２吸収性コア２１の質量（ｇ）をそれぞれ乗じた値を算出する。その算出値を、第１吸収体１０と第２吸収体２０それぞれの最大吸収量（飽和吸収量）として、比較するとよい。なお、吸収性コアの平面位置によって坪量等が異なる場合には、例えば吸収性コアの全てをサンプルにするとよい。
【００９６】
＝＝＝別の実施形態＝＝＝
上述の実施形態では、第１吸収性コア１１の幅方向の長さが、第２吸収性コア２１の幅方向の長さと略同じ、又は第１吸収性コア１１の幅方向の長さの方が第２吸収性コア２１より若干短い場合について説明したが、これに限られない。例えば、図７に示すように、第１吸収性コア１１（第１吸収体１０）の幅方向の長さが、第２吸収性コア２１（第２吸収体２０）の幅方向の長さより明らかに短い構成のパッド１Ｓであってもよい。図７は、別の実施形態におけるパッド１Ｓを肌側から見た平面図である。図８は、別の実施形態におけるパッド１Ｓの概略断面図である。以下、別の実施形態について、上述のパッド１の構成と共通する部分は、符号等を同じとし、詳細な説明は省略する。
【００９７】
上述の実施形態と同様に、多層吸収体１００、一対の第１サイドシート１６、一対の第２サイドシート２５、バックシート２４を有し、多層吸収体１００は、第１吸収体１０Ｓと、厚さ方向において第１吸収体１０Ｓよりも非肌側に配置された第２吸収体２０Ｓを有する。
【００９８】
図７及び図８に示すように、第１吸収体１０Ｓの幅方向の長さは、第２吸収体２０Ｓの幅方向の長さより短い。また、同様に、表面シート１４等の第２サイドシート２５より肌側に配置された各部材は、上述のおむつ１の対応する各部材の幅方向の長さより短い。
【００９９】
パッド１Ｓは、厚さ方向において、第１吸収体１０Ｓと第２吸収体２０との境界部に疎水性を備えた疎水部を有している。具体的には、図８に示すように、多層吸収体１００は、厚さ方向において、第１吸収体１０Ｓと第２吸収体２０との間に疎水性を備えた第２サイドシート２５を備えている。パッド１を厚さ方向に見たときに、図７に示すように、この疎水部である第２サイドシート２５を備える疎水領域Ｈと、疎水部を備えない非疎水領域Ｎとを有している。これによって、重畳領域Ｘにおける疎水領域Ｈでは、第２吸収体２０Ｓで吸収された排泄液が第１吸収体１０Ｓに戻りにくくして、着用者に不快感を生じさせてしまう恐れを軽減している。一方、パッド１Ｓを厚さ方向に見たときにおいて、非重畳領域Ｙにおける疎水領域Ｈでは、第２吸収体２０Ｓの側端部は、第１吸収体１０Ｓと重なっていない。この非重畳領域Ｙにおける疎水領域Ｈについても、疎水部としての第２サイドシート２５は、排泄液が第２吸収体２０Ｓから肌側表面に戻ることを軽減し、パッド１Ｓから排泄液が漏れる恐れを軽減できる。
【０１００】
また、図７に示すように、パッド１Ｓを厚さ方向に見て、第１吸収体１０Ｓと第２吸収体２０Ｓとが重なる領域を重畳領域Ｘとし、第１吸収体１０Ｓと第２吸収体２０Ｓとが重ならない領域を非重畳領域Ｙとする。このとき、疎水領域Ｈが非重畳領域Ｙに設けられ、非疎水領域Ｎが重畳領域Ｘに設けられていることが好ましい。このようにすることで、重畳領域Ｘに設けられた非疎水領域Ｎでは、第１吸収体１０Ｓで吸収した排泄液を第２吸収体２０に向かって移動させることができる。一方、非重畳領域Ｙに設けられた疎水領域Ｈでは、第２吸収体２０Ｓで吸収された排泄液が第１吸収体１０Ｓに戻ることを疎水部（第２サイドシート２５）が軽減するため、第２吸収体２０Ｓから第１吸収体１０Ｓに排泄物が戻って、着用者に不快感を与えてしまう恐れを軽減させることができる。
【０１０１】
図７、図８に示すパッド１Ｓでは、重畳領域Ｘに疎水領域Ｈと非疎水領域Ｎを設け、非重畳領域Ｙに疎水領域Ｈのみを設けたがこれに限られない。重畳領域Ｘには非疎水領域Ｎのみを備え、非重畳領域Ｙには、疎水領域Ｈと非疎水領域Ｎを備える構成であってもよい。
【０１０２】
なお、別の実施形態として、第１吸収性体１０の幅方向の長さが第２吸収体２０の幅方向の長さより明らかに短い構成について説明したが、これに限らず、第１吸収体１０の幅方向の長さが第２吸収体２０の幅方向の長さより明らかに長い構成であってもよい。第１吸収体１０の幅方向の長さが第２吸収体２０の幅方向の長さより長い場合には、パッド１を厚さ方向に見て、第１吸収体１０は、非重畳領域Ｙと重なる部分を有する。この場合、着用者の座位姿勢の変化等によって非重畳領域Ｙと重なる部分に厚さ方向への力が加えられても、非重畳領域Ｙと重なる第１吸収体の非肌側面では、非重畳領域Ｙに設けられた疎水領域Ｈによって、第１吸収体１０で吸収した排泄物が第１吸収体１０の非肌側面から非肌側に向かって漏れてしまう恐れを軽減させることができる。
【０１０３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【０１０４】
上述の実施形態では、第２サイドシート２５を疎水部とし、さらに、疎水性不織布である第１サイドシート１６の非肌側不織布１６ｂを用いて、疎水性領域Ｈの疎水性を向上させたが、これに限られない。パッド１が疎水性の第２サイドシート２５を有している場合、第１サイドシート１６の非肌側不織布１６ｂを配置しない構成であってもよく、非肌側不織布１６ｂを親水性のシート部材としてもよい。または、パッド１が疎水性の第２サイドシート２５を有さずに、疎水性の第１サイドシート１６の非肌側不織布１６ｂを疎水部として配置するものであってもよい。この場合には、第２サイドシート２５を用いる必要がないため、パッド１の資材を減少させ、製造コストを低減できる。
【０１０５】
また、上述の実施形態では、パッド１を厚さ方向に見て、第２吸収体２０の幅方向の両端部が、第２サイドシート２５と重なり、一対の疎水領域Ｈを有する構成としたが、これに限られない。疎水領域Ｈは、任意の数、任意の場所に設けることができる。例えば、パッド１を厚さ方向に見て、第２吸収体２０の長手方向の一方側端部又は他方側端部と重なる領域に疎水領域Ｈを設けてもよい。さらに、パット１を厚さ方向に見て、第１吸収体１０と第２吸収体２０とが重ならない領域（非重畳領域Ｙ）と重なる領域のみに疎水領域Ｈを設けるものであってもよい。
【符号の説明】
【０１０６】
１  パッド（軽失禁パッド、吸収性物品）、１０  第１吸収体、１１  第１吸収性コア、１２  第１肌側コアラップ、１３  第１非肌側コアラップ、１４  表面シート、１５  中間シート、１６  第１サイドシート（疎水部）、１６ａ  肌側不織布、１６ｂ  非肌側不織布、１８  糸ゴム（弾性部材）、２０  第２吸収体、２１  第２吸収性コア、２２  第２肌側コアラップ、２３  第２非肌側コアラップ、２４  バックシート、２５  第２サイドシート（疎水部）、３０  ずれ止め部（粘着部）、３１  中央粘着部、３２  サイド粘着部、４０  圧搾部（溝部）、４１  第１圧搾部（溝部）、４２  第２圧搾部、５０  接合部、６０  離間部、１００  多層吸収体、Ｈ  疎水領域、Ｎ  非疎水領域、Ｘ  重畳領域、Ｙ  非重畳領域
【要約】
【課題】第２吸収体で吸収した排泄液が第１吸収体に戻ることを軽減させる吸収性物品を提供する。
【解決手段】長手方向と幅方向と厚さ方向とを有し、第１吸収性コア（１１）を備える第１吸収体（１０）と、第２吸収性コア（２１）を備え、厚さ方向において第１吸収体（１０）よりも非肌側に配置された第２吸収体（２０）と、を備える多層吸収体（１００）を有する吸収性物品（１）であって、多層吸収体（１００）は、厚さ方向における、第１吸収体（１０）と第２吸収体（２０）との境界部において、厚さ方向に見て、多層吸収体（１００）は、疎水部を備える疎水領域（Ｈ）と、疎水部（２５）を備えない非疎水領域（Ｎ）と、を有することを特徴とする吸収性物品（１）である。
【選択図】図３【図１】
0006976383.tif 000002
【図２】
0006976383.tif 000003
【図３】
0006976383.tif 000004
【図４】
0006976383.tif 000005
【図５】
0006976383.tif 000006
【図６】
0006976383.tif 000007
【図７】
0006976383.tif 000008
【図８】
0006976383.tif 000009